(57)【要約】  本発明は、一次デバイスと二次デバイスとの間でスペクトルを共有するための半協調的方法に関し、二次デバイスは、よりよい受信品質を得るためにレシーバのパラメータを調整するために可能な限りの処理を行い、一次デバイスは、最小の負荷で二次デバイスがスペクトルにアクセスできるようにする。
2012522406.tif 000002
【特許請求の範囲】
【請求項１】
一次トランスミッタ（６）と一次レシーバ（８）とを有する一次デバイス（２）と、二次トランスミッタ（１０）と二次レシーバ（１２）とを有する二次デバイス（４）との間でスペクトルを共有する無線通信システムであって、
前記一次レシーバ（８）と前記二次レシーバ（１２）の各々において、一次トランスミッタ（６）および二次トランスミッタ（１０）からの送信チャネルを推定する手段と、
前記一次レシーバ（８）のサービスの品質に影響を及ぼすことなく前記二次トランスミッタ（１０）が送信可能な最大パワーを、分析的方法またはパワー制御ループのいずれかによって決定する手段と、
最小負荷でサービスの品質を保つために受信パラメータを調整するように前記一次レシーバ（８）を構成する手段とを有することを特徴とする無線通信システム。
【請求項２】
前記一次レシーバ（８）は、自身のパラメータを調整することによって受信品質を維持する請求項１に記載の無線通信システム。
【請求項３】
前記二次レシーバ（１２）は、自身のパラメータを調整することによって受信品質を維持する請求項１に記載の無線通信システム。
【請求項４】
前記二次レシーバ（１２）は、ＲＡＫＥレシーバからイコライザレシーバに変化することによってパラメータを調整する請求項３に記載の無線通信システム。
【請求項５】
前記二次レシーバ（１２）は、受信ブランチの数を増やすことによってパラメータを調整する請求項３に記載の無線通信システム。
【請求項６】
前記二次レシーバ（１２）は、チップ・レベル・レシーバに代えてシンボル・レベル・レシーバを使用することによってパラメータを調整する請求項３に記載の無線通信システム。
【請求項７】
一次トランスミッタ（６）と一次レシーバ（８）とを有する一次デバイス（２）と、二次トランスミッタ（１０）と二次レシーバ（１２）とを有する二次デバイス（４）との間でスペクトルを共有する方法であり、
前記スペクトルが第１のデバイス（２）により既に使用されている場合に、第２のデバイス（４）が前記スペクトルの使用を試みる方法であって、
前記一次レシーバ（８）と前記二次レシーバ（１２）の各々が、前記一次トランスミッタ（６）および前記二次トランスミッタ（１０）からの送信チャネルをそれぞれ推定し、その後、前記一次トランスミッタ（６）が、前記一次レシーバ（８）のサービスの品質に影響を及ぼすことなく前記二次トランスミッタ（１０）が送信可能な最大パワーを、分析的方法またはパワー制御ループのいずれかによって決定する測定フェーズと、
前記二次トランスミッタ（１０）が、前記一次レシーバ（８）のサービスの品質に影響を及ぼすことなく前記二次レシーバ（１２）が許容可能な最大パワーを最初に使用し、前記一次レシーバ（８）が、最小負荷でサービスの品質を保つために受信パラメータを調整する調整フェーズと
を含むことを特徴とする方法。
【請求項８】
前記一次レシーバ（８）は、自身のパラメータを調整することによって受信品質を維持する請求項８に記載の方法。
【請求項９】
前記二次レシーバ（１２）は、自身のパラメータを調整することによって受信品質を維持する請求項８に記載の方法。
【発明の詳細な説明】
【技術分野】
【０００１】
本発明は、電気通信分野に関し、一次デバイスと二次デバイスとの間でスペクトルを共有する方法に関する。一次デバイスは、一次トランスミッタと一次レシーバとを有し、二次デバイスは、二次トランスミッタと二次レシーバとを有し、前記方法において、第１のデバイスが既にスペクトルを使用している間、第２のデバイスは当該スペクトルの使用を試みる。
【背景技術】
【０００２】
スペクトル共有は、無線周波スペクトルリソースの需要の増大に対応するために、ラップトップおよびモバイル通信装置などの複数の二次送信／受信デバイスが、一次デバイスのスペクトルにアクセスすることができるという着想である。
スペクトル共有について、以下の２つの主要な選択肢が提案された。
一次デバイスがスペクトルを使用していない場合、二次デバイスはそのスペクトルを使用する。これは、協調的な方法によってまたは二次デバイスがスペクトルを検知することによって行うことができる。
一次デバイスがスペクトルを使用している場合、干渉が一定のレベルを上回らないことを条件に、二次デバイスはそのスペクトルを使用する。
文献「ＷＯ２００７／０００７４０」に開示されている方法では、一次デバイスによりスペクトルが使用されていない場合、二次デバイスは一次デバイスの前記スペクトルに対するアクセスを試みるが、そのために、スペクトルが一次デバイスによって使用される時間の比率について統計的評価が行われ、二次デバイスは、一次デバイスのアイドルモード中におけるスペクトルの使用が許可される。
【発明の概要】
【発明が解決しようとする課題】
【０００３】
この方法では、一次デバイスがスペクトルを使用している場合、二次デバイスは、当該スペクトルに決してアクセスすることができない。
本発明の目的は、一次デバイスと二次デバイスとの間でスペクトルを共有する半協調的方法を提供することである。この方法によって、たとえスペクトルが一次デバイスによって使用されている場合でも、一次デバイスのＱｏＳ（サービスの品質）に影響を及ぼすことなく、二次デバイスによる一次デバイスのスペクトルに対するアクセスが可能になる。
【課題を解決するための手段】
【０００４】
本発明の目的は、一次デバイスと二次デバイスとの間でスペクトルを共有する無線通信システムによって達成される。一次トランスミッタと一次レシーバとを有する前記一次デバイスと、二次トランスミッタと二次レシーバとを有する前記二次デバイスとから成る前記無線通信システムは、前記一次レシーバと前記二次レシーバの各々において、一次トランスミッタ（６）および二次トランスミッタ（１０）からの送信チャネルを推定する手段と、前記一次レシーバ（８）のサービスの品質に影響を及ぼすことなく前記二次トランスミッタ（１０）が送信可能な最大パワーを、分析的方法またはパワー制御ループのいずれかによって決定する手段と、サービスの品質を保つために受信パラメータを調整することに関して最小負担で済むように前記一次レシーバ（８）を構成する手段とを有することを特徴とする。
本発明はさらに、一次トランスミッタと一次レシーバとを有する一次デバイスと、二次トランスミッタと二次レシーバとを有する二次デバイスとの間でスペクトルを共有する方法に関し、第１のデバイスが前記スペクトルを使用している場合、第２のデバイスが前記スペクトルの使用を試みる前記方法は、前記一次レシーバと前記二次レシーバの各々が、前記一次トランスミッタおよび前記二次トランスミッタからの送信チャネルをそれぞれ推定し、その後、前記一次トランスミッタが、前記一次レシーバのサービスの品質に影響を及ぼすことなく前記二次トランスミッタが送信可能な最大パワーを、分析的方法またはパワー制御ループのいずれかによって決定する測定フェーズと、前記二次トランスミッタが、前記一次レシーバのサービスの品質に影響を及ぼすことなく前記二次レシーバが許容可能な最大パワーを最初に使用し、前記一次レシーバが、そのサービスの品質を保つために受信パラメータを調整することに関して最小負担で済ます調整フェーズとを含むことを特徴とする。
【図面の簡単な説明】
【０００５】
【図１】本発明によるシステムにおける一次デバイスと二次デバイスとの間の通信チャネルを示す概略図である。
【図２】一次トランスミッタが一次レシーバと通信を行う、本発明による方法の第１ステップを示す図である。
【図３】二次トランスミッタが、一次デバイスのスペクトルを使用するために、一次トランスミッタに要求を送信する調整フェーズの開始を示す図である。
【図４】二次レシーバが、すべての受信可能性を使用してもそのサービスの品質を達成しない場合を示す図である。
【発明を実施するための形態】
【０００６】
図１〜図４を参照することによって、本発明を説明する。図１〜図４は、一次デバイス２と二次デバイス４を有するシステムにおける本発明による方法の実施を示す。一次デバイス２は、チャネルＨ１１を通じて一次レシーバ８と通信する一次トランスミッタ６を有する。二次デバイスは、チャネルＨ２２を通じて二次レシーバ１２と通信する二次トランスミッタを有する。
一次トランスミッタは、チャネルＨ１２を通じて二次レシーバと通信可能であり、二次トランスミッタは、チャネルＨ２１を通じて一次レシーバと通信可能である。
図２に示されるように、最初に一次トランスミッタ６のみが、一次レシーバ８と通信することによってスペクトルを使用していることが想定される。
二次デバイス１２がスペクトルにアクセスしたい場合、図３に矢印１４で示されるように、二次デバイス１２は一次トランスミッタ６に要求を送信する。
【０００７】
その後、調整フェーズが開始される。調整フェーズの間、二次トランスミッタ１０は、まず二次レシーバ１２によって許容される送信パワーレベルを使用して、二次レシーバ１２は、このパワーを使用するサービスの品質を達成するために最適方法を試みる。
【０００８】
そのようにするために、二次レシーバ１２はその受信品質をすべて使用する。
例えば、アンテナの数や消費電力を増加する。または、ＲＡＫＥレシーバの代わりに、例えば、ＣＤＭＡの場合イコライザまたはシンボル・レベル・レシーバなど、より優れたレシーバを使用する。または、ＭＭＳＥ縮小ランクレシーバの場合、レシーバランクを増加させる。
【０００９】
図３に示されるように、二次レシーバ１２は、そのすべての受信のための可能性を使用してもそのサービスの品質を達成しない場合、送信パワーを増加させることの要求を二次トランスミッタに送信する。
しかし、送信パワーを増加させることによって、二次トランスミッタ１０は一次レシーバに対する許容範囲を上回る干渉を発生させ（リンクＨ２１）、一次レシーバ８はそのサービスの品質を維持するためにその受信品質を向上させる。
【００１０】
平衡が達成された場合、二次トランスミッタ１０と二次レシーバ１４との間の通信が開始される。
一方、満足な平衡が達成されない場合（すなわち一次デバイス２がその受信機能のすべてを使用してもＱｏＳ（サービスの品質）を維持することができなかった場合）、二次デバイス４は送信を停止し、一次デバイス２はスペクトルの排他的使用に戻す。
【産業上の利用可能性】
【００１１】
本発明による方法は、使用される通信技術のいかんにかかわらずコグニティブ無線通信技術に適用可能である。
【図１】
2012522406.tif 000003
【図２】
2012522406.tif 000004
【図３】
2012522406.tif 000005
【図４】
2012522406.tif 000006
【国際調査報告】
2012522406.tif 000007
2012522406.tif 000008
2012522406.tif 000009